(57)【特許請求の範囲】
【請求項１】
映像データ及び音声データを含む通話データを送受信可能な端末と、前記通話データを表示可能な出力装置とが配下に接続され、当該端末の通信先が接続されるネットワークに接続されたゲートウェイ装置であって、
前記通信先から送信された宛先がユニキャストアドレスである通話データを前記ネットワークを介して受信する受信部と、
前記受信部が受信した前記通話データを前記端末及び前記出力装置の少なくとも一方に出力する送信部と、
前記端末から送信され、前記通話データの出力を前記出力装置側に切り替える切替要求を検出する切替要求検出部と、を備え、
前記受信部は、前記受信した通話データを複製するデータ複製部を有し、
前記送信部は、前記切替要求検出部が前記切替要求を検出した場合、前記宛先がユニキャストアドレスである通話データの宛先を、前記通話データの出力先として予め設定されたチャンネルの識別情報に対応するマルチキャストアドレスに変換する通話データ変換部を有し、
前記切替要求は、前記データ複製部に前記通話データを複製させるか否かを示す複製情報を含み、
前記切替要求検出部は、前記端末から前記切替要求を検出した場合、前記切替要求に含まれる前記複製情報に基づいて、前記データ複製部に前記通話データを複製させるか否かを判定し、
前記送信部は、前記切替要求検出部が前記データ複製部に前記通話データを複製させないと判定した場合、前記通話データを前記データ複製部に複製させず、前記通話データの宛先を前記通話データ変換部によって変換し、
前記データ複製部は、前記切替要求検出部が前記データ複製部に前記通話データを複製させると判定した場合、前記受信部が受信した通話データを複製し、
前記送信部は、前記データ複製部によって複製された一方の通話データを前記端末に送信し、
前記通話データ変換部は、前記データ複製部によって複製された他方の通話データの宛先を前記マルチキャストアドレスに変換し、
前記送信部は、前記通話データ変換部によって変換された通話データを前記出力装置に送信することを特徴とするゲートウェイ装置。
【請求項２】
前記出力装置に設定された複数のチャンネルから前記通話データを出力するチャンネルの選択を、前記出力装置から受け付ける選択チャンネル受付部を備え、
前記送信部は、前記選択チャンネル受付部が受け付けたチャンネルが前記通話データの出力先として予め設定されたチャンネルである場合、前記通話データ変換部によって変換された通話データを前記出力装置に送信することを特徴とする請求項１に記載のゲートウェイ装置。
【請求項３】
映像データ及び音声データを含む通話データを送受信可能な端末と、前記通話データを表示可能な出力装置とが配下に接続され、当該端末の通信先が接続されるネットワークに接続されたゲートウェイ装置において、前記通信先から受信した通話データを配下に送信するデータ送信方法であって、
前記方法は、
前記通信先から送信された宛先がユニキャストアドレスである通話データを前記ネットワークを介して受信する受信ステップと、
前記受信ステップで受信した前記通話データを前記端末及び前記出力装置の少なくとも一方に出力する送信ステップと、
前記端末から送信され、前記通話データの出力を前記出力装置側に切り替える切替要求を検出する切替要求検出ステップと、を含み、
前記受信ステップは、前記受信した通話データを複製するデータ複製ステップを含み、
前記送信ステップは、
前記切替要求検出ステップで前記切替要求を検出した場合、前記宛先がユニキャストアドレスである通話データの宛先を、前記通話データの出力先として予め設定されたチャンネルの識別情報に対応するマルチキャストアドレスに変換する通話データ変換ステップと、
前記通話データ変換ステップで変換された通話データを前記出力装置に送信するステップと、を含み、
前記切替要求は、前記データ複製ステップで前記通話データを複製するか否かを示す複製情報を含み、
前記切替要求検出ステップは、前記端末から前記切替要求を検出した場合、前記切替要求に含まれる前記複製情報に基づいて、前記通話データを複製するか否かを判定するステップを含み、
前記送信ステップでは、前記通話データを複製しないと前記切替要求検出ステップで判定された場合、前記受信ステップで受信した通話データを複製せず、前記通話データ変換ステップで前記通話データの宛先を変換し、
前記データ複製ステップでは、前記通話データを複製すると前記切替要求検出ステップで判定された場合、前記受信ステップで受信した通話データを複製し、
前記送信ステップでは、前記データ複製ステップで複製された一方の通話データを前記端末に送信し、
前記通話データ変換ステップでは、前記データ複製ステップで複製された他方の通話データの宛先を前記マルチキャストアドレスに変換することを特徴とするデータ送信方法。
【請求項４】
前記方法は、前記出力装置に設定された複数のチャンネルから前記通話データを出力するチャンネルの選択を、前記出力装置から受け付ける選択チャンネル受付ステップを含み、
前記送信ステップでは、前記選択チャンネル受付ステップで受け付けたチャンネルが前記通話データの出力先として予め設定されたチャンネルである場合、前記通話データ変換ステップによって変換された通話データを前記出力装置に送信することを特徴とする請求項３に記載のデータ送信方法。
【発明の詳細な説明】
【技術分野】
【０００１】
本発明は、端末と出力装置とが配下に接続され、当該端末の通話先が接続されるネットワークに接続されたネットワークに接続されるゲートウェイ装置に関し、特に、通話先から受信した通話データを配下に送信するゲートウェイ装置に関する。
【背景技術】
【０００２】
近年、音声データ及び映像データ等をインターネット網を利用して送受信可能なＩＰ電話のユーザ数、及び、パーソナルコンピュータ（ＰＣ）を用いたビデオチャットのアプリケーションのユーザ数は、急速な増加傾向にある。これらのユーザ数の増加は、インターネット環境があれば、手軽で無料に利用できることに起因するものと考えられる。また、ＩＰ電話を利用したＴＶ電話システムは、無線端末に当該ＴＶ電話システムのアプリケーションを搭載すれば、無線端末でも利用できる。
【０００３】
上述したＩＰ電話及びビデオチャット等のサービスを利用するには、ユーザは、ＰＣ又は無線端末等の端末を起動し、アプリケーションにログインしなければならない。このため、端末を所持していない者、及び、これらの作業を手間に感じる者は、これらのサービスの利用を敬遠していた。
【０００４】
また、一般的に、無線端末はカメラ、マイク、及びディスプレイを備え、無線通信機能を有する無線端末も多くある。このため、無線端末は、ＩＰ電話及びＩＰ電話網を利用したテレビ電話のアプリケーションを利用することによって、ＩＰ電話機として利用が可能である。このような無線端末では、無線端末又は他の表示装置に通話先の相手の顔などの映像データを表示しながら通話を行うのが一般的である。
【０００５】
ここで、外部ネットワークと家庭内ネットワークとを接続し、家庭内ネットワークに接続された機器を管理するホームゲートウェイ装置が知られている。このホームゲートウェイ装置は、家庭内ネットワークに接続された機器に関する情報を含む管理画面をテレビに表示できる。この場合、テレビに表示される管理画面の表示データは、ホームゲートウェイ装置からマルチキャストデータとして送信されるものであった。
【０００６】
また、無線端末同士のデータ通信及び、テレビ電話等に利用されるプロトコルとしてＳＩＰ（Ｓｅｓｓｉｏｎ  Ｉｎｉｔｉａｔｉｏｎ  Ｐｒｏｔｏｃｏｌ）が知られている。このＳＩＰは、処理が軽く、拡張性が高く、インターネットとの親和性が高いプロトコルである。
【０００７】
無線端末間でのテレビ電話の通話データに含まれる映像データを拡大表示するために、当該映像データをテレビに表示させる技術が知られている（例えば、特許文献１〜３参照）。
【０００８】
特許文献１には、ＩＰ電話機の発呼又は着呼時にテレビの電源をオンにし、相手の映像をテレビに表示するセットトップボックスが記載されている。
【０００９】
特許文献２には、放送コンテンツに相手の映像データをオーバーレイ表示するホームゲートウェイ装置が記載されている。
【００１０】
特許文献３には、携帯電話機を利用したテレビ電話の相手の映像データをテレビに表示するためのクレードルが記載されている。
【先行技術文献】
【特許文献】
【００１１】
【特許文献１】特開２００７−２４３８１１号公報
【特許文献２】特開２０１１−１００８４号公報
【特許文献３】特開２００５−１５１４４６号公報
【発明の概要】
【発明が解決しようとする課題】
【００１２】
特許文献１の技術では、ユーザが所望するタイミングで相手映像をテレビに出力することができず、また、ホームゲートウェイ装置については開示されていない。
【００１３】
特許文献２の技術では、放送コンテンツと相手の映像データとをオーバーレイ表示するため、ユーザが所望するタイミングでのテレビへの出力を開始することができない。また、すべてのチャンネルでオーバーレイ表示となってしまうため、オーバーレイ表示を望まないユーザにとっては適当でない。
【００１４】
特許文献３の技術では、この技術を導入するためには新たなクレードルが必要であり、既存の設備では特許文献３の技術を導入することができない。また、テレビ映像と相手の映像とが合成されるので、特許文献２と同様に、合成表示を望まないユーザにとっては適当でない。
【００１５】
そこで、本発明は、既存の設備で利用可能であって、ユーザの所望のタイミングで通話データに含まれる映像データの出力先を切り替えることができるゲートウェイを提供することを目的とする。
【課題を解決するための手段】
【００１６】
本発明の代表的な一例を示せば、映像データ及び音声データを含む通話データを送受信可能な端末と、前記通話データを表示可能な出力装置とが配下に接続され、当該端末の通信先が接続されるネットワークに接続されたゲートウェイ装置であって、前記通信先から送信された宛先がユニキャストアドレスである通話データを前記ネットワークを介して受信する受信部と、前記受信部が受信した前記通話データを前記端末及び前記出力装置の少なくとも一方に出力する送信部と、前記端末から送信され、前記通話データの出力を前記出力装置側に切り替える切替要求を検出する切替要求検出部と、を備え、前記受信部は、前記受信した通話データを複製するデータ複製部を有し、前記送信部は、前記切替要求検出部が前記切替要求を検出した場合、前記宛先がユニキャストアドレスである通話データの宛先を、前記通話データの出力先として予め設定されたチャンネルの識別情報に対応するマルチキャストアドレスに変換する通話データ変換部を有し、前記切替要求は、前記データ複製部に前記通話データを複製させるか否かを示す複製情報を含み、前記切替要求検出部は、前記端末から前記切替要求を検出した場合、前記切替要求に含まれる前記複製情報に基づいて、前記データ複製部に前記通話データを複製させるか否かを判定し、前記送信部は、前記切替要求検出部が前記データ複製部に前記通話データを複製させないと判定した場合、前記通話データを前記データ複製部に複製させず、前記通話データの宛先を前記通話データ変換部によって変換し、前記データ複製部は、前記切替要求検出部が前記データ複製部に前記通話データを複製させると判定した場合、前記受信部が受信した通話データを複製し、前記送信部は、前記データ複製部によって複製された一方の通話データを前記端末に送信し、前記通話データ変換部は、前記データ複製部によって複製された他方の通話データの宛先を前記マルチキャストアドレスに変換し、前記送信部は、前記通話データ変換部によって変換された通話データを前記出力装置に送信することを特徴とする。
【発明の効果】
【００１７】
本発明によれば、既存の設備で利用可能であって、ユーザの所望のタイミングで通話データに含まれる映像データの出力先を切り替えることができるゲートウェイを提供できる。
【図面の簡単な説明】
【００１８】
【図１】本発明の第１実施形態のテレビ電話システムの説明図である。
【図２】本発明のホームゲートウェイ装置の機能ブロック図である。
【図３】本発明の第１実施形態の無線端末の機能ブロック図である。
【図４】本発明の第１実施形態の通話データの出力切替処理のシーケンス図である。
【図５】本発明の第１実施形態の出力先チャンネルが使用できない場合の通話データの出力切替処理のシーケンス図である。
【図６】本発明の第１実施形態の無線端末からホームゲートウェイ装置に送信するメッセージの説明図である。
【図７】本発明の第１実施形態のホームゲートウェイ装置から無線端末に送信するメッセージの説明図である。
【図８】本発明の第１実施形態のホームゲートウェイ装置によるユニキャスト・マルチキャスト変換前の通話データのパケットのフォーマットの説明図である。
【図９】本発明の第１実施形態のホームゲートウェイ装置によるユニキャスト・マルチキャスト変換後の通話データのパケットのフォーマットの説明図である。
【図１０】本発明の第１実施形態のＩＰｖ６マルチキャストアドレス及びマルチキャストＭＡＣアドレスの説明図である。
【図１１】本発明の第２実施形態のホームゲートウェイ装置の機能ブロック図である。
【図１２】本発明の第２実施形態の通話データの出力切替処理のシーケンス図である。
【図１３】本発明の第２実施形態の変形例のホームゲートウェイ装置１のアプリケーションによる処理のフローチャートである。
【図１４】本発明の第３実施形態のテレビ電話システムの説明図である。
【図１５】本発明の第３実施形態の通話データの出力切替処理のシーケンス図である。
【発明を実施するための形態】
【００１９】
（第１実施形態）
以下、本発明の第１実施形態を図１〜図１０を用いて説明する。
【００２０】
図１は、本発明の第１実施形態のテレビ電話システムの説明図である。
【００２１】
あるテレビ（ＴＶ）電話利用者８と図示しない他のテレビ電話利用者との間でテレビ電話を行う場合について説明する。
【００２２】
テレビ電話システムは、あるテレビ電話利用者８が利用する無線端末５Ａ、無線端末５Ａと無線ＬＡＮ（Ｌｏｃａｌ  Ａｒｅａ  Ｎｅｔｗｏｒｋ）によって接続されるホームゲートウェイ装置（ＨＧＷ）１Ａ、当該ホームゲートウェイ装置１Ａと外部ネットワーク（ＮＷ）６によって接続されるホームゲートウェイ装置１Ｂ、ホームゲートウェイ装置１Ｂに無線ＬＡＮによって接続され他のテレビ電話利用者が利用する無線端末５Ｂを備える。
【００２３】
ホームゲートウェイ装置１Ａにはセットトップボックス（ＳＴＢ）３がＬＡＮによって接続され、セットトップボックス３には表示端末４（例えば、テレビ等）が接続される。
【００２４】
以下、ホームゲートウェイ装置１Ａ及び１Ｂを総称してホームゲートウェイ装置といい、無線端末５Ａ及び５Ｂを総称して無線端末という。
【００２５】
ホームゲートウェイ装置は、外部ネットワーク６と家庭内ネットワーク（ＬＡＮ及び無線ＬＡＮを含む）とを接続する装置である。家庭内ネットワークには無線端末５及びセットトップボックス３が接続されている。
【００２６】
セットトップボックス３は、外部ネットワーク６を介して取得した放送コンテンツのデータを表示端末４が表示可能な表示形式に変換し、複数の視聴可能なチャンネルが設定されている。セットトップボックス３のチャンネルはリモートコントローラ（リモコン）７によってユーザが選択可能であって、セットトップボックス３はユーザによって選択されたチャンネルの放送コンテンツのデータを表示端末４に表示する。
【００２７】
なお、セットトップボックス３は、表示端末４に内蔵されていてもよい。
【００２８】
テレビ電話システムで通信される通話データについて説明する。
【００２９】
通話データは、音声データ及び映像データを含み、ホームゲートウェイ装置１Ａとホームゲートウェイ装置１Ｂとの間は宛先がユニキャストアドレスであるユニキャストデータで通信される。ホームゲートウェイ装置は、通話データを受信すると、出力先が無線端末５に設定されている場合、受信した通話データを無線端末５に無線ＬＡＮを介して送信し、出力先が表示端末４に設定されている場合、受信した通話データを宛先がマルチキャストアドレスであるマルチキャストデータに変換し、変換したマルチキャストデータをＬＡＮを介してセットトップボックス３に送信する。マルチキャストデータに変換するのは、マルチキャストデータしか受信できない既存のセットトップボックス３に対応させるためである。
【００３０】
なお、表示端末４及び無線端末５は、通話データに含まれる映像データを表示する表示部と、通話データに含まれる音声データを出力する音声出力部と、を備える。
【００３１】
図２は、本発明のホームゲートウェイ装置１の機能ブロック図である。
【００３２】
ホームゲートウェイ装置１は、ＣＰＵ１１、メモリ１２、記憶部１３、ＷＡＮポート１４、Ｗ−ＬＡＮポート１５、及びＬＡＮポート１６を備える。
【００３３】
ＣＰＵ１１は、メモリ１２に格納された各種プログラムを実行する。メモリ１２は各種機能を実現するプログラムを格納する記憶領域である。記憶部１３は、各種データを格納する記憶領域であり、特に不揮発性の記憶領域である。
【００３４】
ＷＡＮポート１４は、外部ネットワーク６に接続するためのネットワークインタフェースである。Ｗ−ＬＡＮポート１５は、無線ＬＡＮに接続するためのネットワークインタフェースである。ＬＡＮポート１６は、ＬＡＮに接続するためのネットワークインタフェースである。
【００３５】
メモリ１２に格納される各種プログラムが実現する機能部について説明する。
【００３６】
各種プログラムが実現する機能部には、ネットワーク制御部１２１、データ送受信部１２２、無線制御部１２３、及びアプリケーション制御部１２４がある。
【００３７】
ネットワーク制御部１２１は、ＷＡＮポート１４を制御する。無線制御部１２３は、Ｗ−ＬＡＮポート１５を制御する。アプリケーション制御部１２４は、ＬＡＮポート１６を制御する。
【００３８】
アプリケーション制御部１２４は、ユニキャスト・マルチキャスト変換部１２５及びＭＬＤ制御部１２６を備える。
【００３９】
ユニキャスト・マルチキャスト変換部１２５は、通話データをユニキャストデータからマルチキャストデータへ変換する。ＭＬＤ制御部１２６は、セットトップボックス３からユーザによって選択されたチャンネルを検出する。
【００４０】
データ送受信部１２２は、上位の外部ネットワーク６に対してデータを送受信するとともに、配下のＬＡＮ及び無線ＬＡＮに対してデータを送受信する。
【００４１】
ここで、ＷＡＮポート１４、ネットワーク制御部１２１、及びデータ送受信部１２２は、通信先の無線端末５Ｂから送信された通話データを外部ネットワーク６を介して受信する受信部として機能する。
【００４２】
また、データ送受信部１２２、無線制御部１２３、Ｗ−ＬＡＮポート１５、アプリケーション制御部１２４、及びＬＡＮポート１６は、受信した通話データを無線端末５Ａ又は表示端末４に送信する送信部として機能する。
【００４３】
また、無線制御部１２３、及びＷ−ＬＡＮポート１５は、無線端末５から通話データの出力先を表示端末４へ切り替える切替要求を検出する切替要求検出部として機能する。なお、切替要求については、図４で詳細を説明する。
【００４４】
また、ＭＬＤ制御部１２６、及びＬＡＮポート１６は、表示端末４から通話データの出力するチャンネルのユーザによる選択をセットトップボックス３を介して受け付ける選択チャンネル受付部として機能する。
【００４５】
また、ユニキャスト・マルチキャスト変換部１２５は、切替要求を検出した場合に、ユニキャストである通話データをマルチキャストデータに変換する通話データ変換部として機能する。
【００４６】
図３は、本発明の第１実施形態の無線端末５の機能ブロック図である。
【００４７】
無線端末５は、制御部５１、メモリ５２、入力キー５３、ディスプレイ５４、カメラ５５、マイク５６、無線発信部５７、無線処理部５８、アプリ制御部５９、及びアンテナを備える。
【００４８】
制御部５１は、各種機能を実現する制御プログラムの命令を実行する。メモリ５２は、制御部５１によって実行されるプログラムを格納する。
【００４９】
入力キー５３は、無線端末５のユーザが操作することによってユーザからの入力を受け付ける。例えば、入力キー５３は、無線端末５のテレビ電話の通話先等の指定を受け付ける。
【００５０】
ディスプレイ５４は、テレビ電話の通話データに含まれる映像データ等を表示する。
【００５１】
カメラ５５は、例えば、テレビ電話中に対象物を撮影することによって、通話データに含まれる映像データの元になる画像データを生成する。なお、映像データは、カメラ５５によって撮影された画像データに限定されず、無線端末５に備わる記憶領域に格納された映像データ等であってもよい。
【００５２】
マイク５６は、通話データに含まれる音声データの元になる音声の入力を受け付ける。
【００５３】
無線発信部５７は、アンテナ６０から通話データを無線ＬＡＮを介して送信する。なお無線発信部５７は、アンテナ６０から無線ＬＡＮを介して通話データを受信する。
【００５４】
無線処理部５８は、無線発信部５７を制御することによって無線通信を制御する。アプリ制御部５９は、各種アプリケーションを制御する。
【００５５】
図４は、本発明の第１実施形態の通話データの出力切替処理のシーケンス図である。
【００５６】
図４に示すシーケンス図では、無線端末５Ａが無線端末５Ｂに発呼し、無線端末５Ａが通話中に出力切替要求をホームゲートウェイ装置１Ａに送信する場合について説明する。
【００５７】
無線端末５Ａは、テレビ電話接続のセッション確立要求であるＩｎｖｉｔｅメッセージをホームゲートウェイ装置１Ａに無線ＬＡＮを介して送信する（４０１）。
【００５８】
ホームゲートウェイ装置１Ａは、Ｉｎｖｉｔｅメッセージを受信すると、試行中であることを示すＴｒｙｉｎｇ１００メッセージを無線端末５Ａに無線ＬＡＮを介して送信するとともに（４１１）、Ｉｎｖｉｔｅメッセージを外部ネットワーク６に送信する（４０２）。
【００５９】
外部ネットワーク６は、Ｉｎｖｉｔｅメッセージを受信すると、Ｔｒｙｉｎｇ１００メッセージをホームゲートウェイ装置１Ａに送信するとともに（４１２）、Ｉｎｖｉｔｅメッセージをホームゲートウェイ装置１Ｂに送信する（４０３）。
【００６０】
ホームゲートウェイ装置１Ｂは、Ｉｎｖｉｔｅメッセージを受信すると、Ｔｒｙｉｎｇ１００メッセージを外部ネットワーク６に送信するとともに（４１３）、Ｉｎｖｉｔｅメッセージを無線端末５Ｂに無線ＬＡＮを介して送信する（４０４）。
【００６１】
無線端末５Ｂは、Ｉｎｖｉｔｅメッセージを受信すると、呼び出し中となり、Ｔｒｙｉｎｇ１００メッセージをホームゲートウェイ装置１Ｂに無線ＬＡＮを介して送信するとともに（４１４）、呼び出し中であることを示す１８０Ｒｉｎｇｉｎｇメッセージをホームゲートウェイ装置１Ｂに無線ＬＡＮを介して送信する（４２１）。
【００６２】
ホームゲートウェイ装置１Ｂは、１８０Ｒｉｎｇｉｎｇメッセージを受信すると、１８０Ｒｉｎｇｉｎｇメッセージを外部ネットワーク６を介してホームゲートウェイ装置１Ａに送信する（４２２、４２３）。ホームゲートウェイ装置１Ａは、１８０Ｒｉｎｇｉｎｇメッセージを無線端末５Ａに無線ＬＡＮを介して送信する（４２４）。
【００６３】
無線端末５Ｂがオフフックされると、無線端末５Ｂは、２００ＯＫメッセージをホームゲートウェイ装置１Ｂに送信する。２００ＯＫメッセージは、ホームゲートウェイ装置１Ｂ、外部ネットワーク６、及びホームゲートウェイ装置１Ａを介して無線端末５Ａに転送される（４３２、４３３、４３４）。
【００６４】
無線端末５Ａが２００ＯＫメッセージを受信すると、無線端末５Ａは、２００ＯＫメッセージに対するＡＣＫデータをホームゲートウェイ装置１Ａ、外部ネットワーク６、及び
ホームゲートウェイ装置１Ｂを介して無線端末５Ｂに送信する（４４１〜４４４）。これによって、無線端末５Ａと無線端末５Ｂとの間にセッションが確立する。
【００６５】
また、無線端末５Ａが２００ＯＫメッセージを受信すると、無線端末５Ａと無線端末５Ｂとが通話中となる（４５１）。無線端末５Ａと無線端末５Ｂとが通話中となると、無線端末５Ａと無線端末５Ｂとの間で音声データ及び映像データを含む通話データが送受信される。ホームゲートウェイ装置１Ａ及び１Ｂ間の通話データの宛先には、ホームゲートウェイ装置１のユニキャストアドレスが設定され、通話データは、ホームゲートウェイ装置１Ａ及び１Ｂ間ではユニキャストアドレスデータで通信される。なお、通話データの詳細は、図８で説明する。
【００６６】
ここで、無線端末５Ａが入力キー５３を介して通話データの出力先を無線端末５Ａから表示端末４に切り替える切替要求の入力を受け付けた場合、無線端末５Ａは、通話データの出力先を表示端末４に切り替える切替要求メッセージを無線ＬＡＮを介してホームゲートウェイ装置１Ａに送信する（４５５）。なお、当該切替要求メッセージは、ホームゲートウェイ装置１Ａと無線端末５Ａとの接続を、セットトップボックス３に設定されたチャンネルのうち出力先として設定された出力先チャンネルとの接続に切り替える要求であるので、ＳＴＢチャンネル接続要求ともいう。
【００６７】
ホームゲートウェイ装置１Ａは、切替要求メッセージを受信した場合、出力先チャンネルが使用可能か否かを判定する。
【００６８】
ホームゲートウェイ装置１Ａは、出力先チャンネルが使用可能であると判定した場合、受信した切替要求メッセージに対するＡＣＫであるＯＫメッセージを無線ＬＡＮを介して無線端末５Ａに送信する（４５６）。また、ホームゲートウェイ装置１Ａは、外部ネットワーク６から受信した通話データ（４６１）のユニキャストデータからマルチキャストデータへの変換を開始する（４６２）。通話データのユニキャストデータからマルチキャストデータへの変換の詳細は、図８〜図１０で詳細を説明する。
【００６９】
次に、ユーザがリモコン７を操作し、リモコン７は、ユーザが選択したチャンネルを示すチャンネル選択データをセットトップボックス３に送信する（４６５）。ここでは、通話データの出力先として予め設定されている出力先チャンネルがユーザによって選択されたものとする。
【００７０】
セットトップボックス３は、チャンネル選択データを受信した場合、ユーザによって選択されたチャンネルを特定可能なチャンネル特定データを含むＭＬＤｖ２Ｒｅｐｏｒｔメッセージをホームゲートウェイ装置１Ａに送信する（４６６）。
【００７１】
ホームゲートウェイ装置１Ａは、ＭＬＤｖ２Ｒｅｐｏｒｔメッセージを受信した場合、受信したＭＬＤｖ２Ｒｅｐｏｒｔメッセージに含まれるチャンネル特定データによって特定されるチャンネルが出力先チャンネルである場合に、ステップ４６２の処理でマルチキャストデータに変換された通話データを送信する（４６７）。
【００７２】
セットトップボックス３は、通話データを受信した場合、受信した通話データを表示端末４から出力する（４６８）。具体的には、通話データに含まれる映像データは表示端末４のディスプレイに表示され、通話データに含まれる音声データは表示端末４のスピーカから出力される。
【００７３】
無線端末５Ａは、テレビ電話の終了が入力キーを介して入力されると、切断要求メッセージをホームゲートウェイ装置１Ａに無線ＬＡＮを介して送信する（４７１）。
【００７４】
ホームゲートウェイ装置１Ａは、切断要求メッセージを受信した場合、受信した切断要求メッセージに対するＡＣＫとしてＯＫメッセージを、無線端末５Ａに送信する（４７２）。
【００７５】
無線端末５Ａは、切断要求メッセージに対するＯＫメッセージを受信した場合、セッション切断要求であるＢＹＥメッセージを送信する（４８１）。ＢＹＥメッセージは、ホームゲートウェイ装置１Ａ、外部ネットワーク６、及びホームゲートウェイ装置１Ｂを介して無線端末５Ｂに送信される（４８２、４８３、４８４）。
【００７６】
無線端末５Ｂは、ＢＹＥメッセージを受信した場合、ＢＹＥメッセージに対するＡＣＫとして２００ＯＫメッセージをホームゲートウェイ装置１Ｂに送信する（４９１）。２００ＯＫメッセージは、ホームゲートウェイ装置１Ｂ、外部ネットワーク６、及びホームゲートウェイ装置１Ａを介して無線端末５Ａに送信される（４９２、４９３、４９４）。無線端末５Ａが２００ＯＫメッセージを受信した場合、セッションの切断が完了し、無線端末５Ｂとのテレビ電話の接続が切断される。
【００７７】
以上のように、ユーザが所望のタイミングで通話データの出力先を切り替える旨を無線端末５に入力し、ホームゲートウェイ装置１は、無線端末５が当該入力に基づいてホームゲートウェイ装置１に送信する切替要求に基づいて、通話データの出力先を表示端末４に切り替える。また、既存のセットトップボックス３は宛先がマルチキャストアドレスであるマルチキャストデータしか受信できないので、ホームゲートウェイ装置１は、切替要求を受信した場合、通話データをマルチキャストデータに変換し、リモコン７による出力先チャンネルが選択された場合に、マルチキャストデータに変換した通話データをセットトップボックス３に送信する。
【００７８】
これによって、ユーザの所望のタイミングで出力先を切り替えることができるとともに、既存のセットトップボックス３を利用して表示端末４に通話データを送信できる。
【００７９】
なお、図４では、ホームゲートウェイ装置１Ａは、ステップ４６７の処理で、ＭＬＤｖ２Ｒｅｐｏｒｔメッセージを受信してから、マルチキャストデータに変換された通話データを送信するが、ＭＬＤｖ２Ｒｅｐｏｒｔメッセージを受信しなくても、切替要求を受信して、ステップ４６２の処理でマルチキャストデータに変換された通話データを送信してもよい。この場合、ホームゲートウェイ装置１Ａは、通話データの送信を開始する場合、出力先チャンネルに切り替える指令をセットトップボックス３に送信することによって、表示端末４のチャンネルを出力先チャンネルに切り替えることができる。
【００８０】
図５は、本発明の第１実施形態の出力先チャンネルが使用できない場合の通話データの出力切替処理のシーケンス図である。
【００８１】
図５では、無線端末５Ａと無線端末５Ｂとが通話中（４５１）となるまでは、図４と同じであるので、図示を省略している。
【００８２】
ホームゲートウェイ装置１Ａは、ステップ４５５の処理で無線端末５Ａによって送信された切替要求メッセージを受信した場合、出力先チャンネルが使用可能か否かを判定する。
【００８３】
ホームゲートウェイ装置１Ａは、出力先チャンネルに他の放送コンテンツが表示されている場合等、出力先チャンネルが使用不可能であると判定した場合、受信した切替要求メッセージに対するＡＣＫとしてＮＧメッセージを無線ＬＡＮを介して無線端末５Ａに送信する（４５７）。
【００８４】
この場合、ホームゲートウェイ装置１Ａは、通話データをユニキャストデータからマルチキャストデータへ変換しない。このため、ホームゲートウェイ装置１Ａは、ユーザによって選択されたチャンネルを特定可能なチャンネル特定データを含むＭＬＤｖ２Ｒｅｐｏｒｔメッセージをセットトップボックス３から受信しても、通話データをセットトップボックスに送信しない。
【００８５】
図６は、本発明の第１実施形態の無線端末５からホームゲートウェイ装置１に送信するメッセージの説明図である。
【００８６】
無線端末５には、ホームゲートウェイ装置１に送信するためのメッセージフォーマット６００が設定されている。このメッセージフォーマットは、ＩＰｖ４ヘッダ６０１、ＴＣＰヘッダ６０２、及びデータ６０３を含む。
【００８７】
データ６０３は、Ｔｙｐｅ６１１、セッションＩＤ６１２、及びマルチキャストグループＩＤ６１３を含む。
【００８８】
Ｔｙｐｅ６１１には、ステップ４５５の処理でホームゲートウェイ装置１に送信される切替要求か、ステップ４７１の処理でホームゲートウェイ装置１に送信される切断要求かを識別可能な識別データが格納される。
【００８９】
セッションＩＤ６１２には、通話中のテレビ電話のセッションの識別情報が格納される。マルチキャストグループＩＤ６１３には、マルチキャストデータが送信されるグループを識別可能な識別情報（グループＩＤ）が格納される。グループＩＤは、セットトップボックス３に設定されたチャンネルの数だけ、チャンネルに対応して設定されているものである。マルチキャストグループＩＤ６１３に格納されるグループＩＤは、通話データの出力先として設定されている出力先チャンネルに対応するグループＩＤである。
【００９０】
図７は、本発明の第１実施形態のホームゲートウェイ装置１から無線端末５に送信するメッセージの説明図である。
【００９１】
ホームゲートウェイ装置１には、無線端末５に送信するためのメッセージフォーマット７００が設定されている。このメッセージフォーマットは、ＩＰｖ４ヘッダ７０１、ＴＣＰヘッダ７０２、及びデータ７０３を含む。
【００９２】
データ７０３は、Ｔｙｐｅ７１１、及びコード７１２を含む。
【００９３】
Ｔｙｐｅ７１１には、図４に示すステップ４５６の処理で無線端末５に送信されるＯＫメッセージか、図５に示すステップ４５７の処理で無線端末５に送信されるＮＧメッセージか、を識別可能な識別データが格納される。
【００９４】
コード７１２には、ＮＧメッセージである場合に出力先チャンネルが使用できない原因を特定可能なデータが格納される。
【００９５】
次に、ホームゲートウェイ装置１によるユニキャスト・マルチキャスト変換前後のパケットのフォーマットを図８〜図１０を用いて説明する。
【００９６】
図８は、本発明の第１実施形態のホームゲートウェイ装置１によるユニキャスト・マルチキャスト変換前の通話データのパケットのフォーマットの説明図である。
【００９７】
図８に示すパケットは、他のホームゲートウェイ装置１から送信された通話データを外部ネットワーク６を介してホームゲートウェイ装置１が受信した場合のユニキャストデータである通話データのパケットである。
【００９８】
通話データのパケットは、宛先ＭＡＣアドレス８０１、送信元ＭＡＣアドレス８０２、ＩＰｖ４ヘッダ８０３、ＵＤＰ８０４、ＲＴＰ８０５、データ８０６、及びＦＣＳ８０７を含む。
【００９９】
宛先ＭＡＣアドレス８０１には、通話データの宛先となるホームゲートウェイ装置１のＷＡＮポート１４に設定されたＭＡＣアドレスが格納される。
【０１００】
送信元ＭＡＣアドレス８０２には、通話データの送信元となる無線端末５のＭＡＣアドレスが格納される。
【０１０１】
ＩＰｖ４ヘッダ８０３には、通話データの送信元となる無線端末５のＩＰｖ４のＩＰアドレス、及び、通話データの宛先となるホームゲートウェイ装置１の外部ネットワーク６側のＩＰｖ４のＩＰアドレスが格納される。
【０１０２】
ＵＤＰ９０４はＵＤＰヘッダであり、ＲＴＰ８０５はＲＴＰヘッダであり、データ８０６には音声データ及び映像データが格納される。ＦＣＳ８０７には、フレームチェックシーケンス情報が格納される。
【０１０３】
このように、ホームゲートウェイ装置１Ａとホームゲートウェイ装置１Ｂとの間では、通話データは宛先にユニキャストアドレスが格納されたユニキャストデータとして通信される。
【０１０４】
図９は、本発明の第１実施形態のホームゲートウェイ装置１によるユニキャスト・マルチキャスト変換後の通話データのパケットのフォーマットの説明図である。
【０１０５】
ユニキャスト・マルチキャスト変換では、図８に示す通話データの宛先ＭＡＣアドレス８０１、送信元ＭＡＣアドレス８０２、及びＩＰｖ４ヘッダ８０３が変換される。変換後の宛先ＭＡＣアドレス８０１、送信元ＭＡＣアドレス８０２、及びＩＰｖ４ヘッダ８０３は、宛先ＭＡＣアドレス９０１、送信元ＭＡＣアドレス９０２、及びＩＰｖ６ヘッダ９０３として示す。また、ＵＤＰ８０４、ＲＴＰ８０５、データ８０６、及びＦＣＳ８０７は変換されず、変換前のままであるので、同じ符号を付与し、説明を省略する。
【０１０６】
宛先ＭＡＣアドレス９０１には、ホームゲートウェイ装置１から送信される通話データの宛先となるセットトップボックス３のＬＡＮ側のマルチキャストＭＡＣアドレスが登録される。なお、マルチキャストＭＡＣアドレスは、図１０で詳細を説明する。
【０１０７】
送信元ＭＡＣアドレス９０２には、ホームゲートウェイ装置１から送信される通話データの送信元となる自身のＬＡＮポート１６に設定されたＭＡＣアドレスが格納される。
【０１０８】
ＩＰｖ６ヘッダ９０３には、ＩＰｖ４ヘッダ８０３に格納されていた通話データの送信元となる無線端末５のＩＰアドレスがそのまま格納されるとともに、当該通話データの宛先となるＩＰｖ６マルチキャストアドレスが格納される。ＩＰｖ６マルチキャストアドレスは、通話データの出力先となるチャンネルに対応するアドレスであり、図１０で詳細を説明する。
【０１０９】
図１０は、本発明の第１実施形態のＩＰｖ６マルチキャストアドレス及びマルチキャストＭＡＣアドレスの説明図である。
【０１１０】
まず、図９に示すＩＰｖ６ヘッダ９０３に格納されるＩＰｖ６マルチキャストアドレスについて説明する。
【０１１１】
ＩＰｖ６マルチキャストアドレスの上位８ビットの領域１００１には、固定値である「ＦＦ」が登録される。領域１１０１の次の４ビットの領域１００２には、各種フラグが登録される。領域１１０２の次の４ビットの領域１００３には、マルチキャストアドレススコープフィールド値が登録される。次の１１２ビットの領域１００４には、グループＩＤが登録される。
【０１１２】
領域１００４の下位３２ビットの領域１００４１には、図４に示すステップ４５５の処理で無線端末５から送信された切替要求に含まれる出力先チャンネルに対応する識別情報が登録される。なお、この識別情報がグループＩＤとなる。また、残りの８０ビットには、セットトップボックス３が受信可能であれば任意の値が登録される。
【０１１３】
次に、マルチキャストＭＡＣアドレスについて説明する。
【０１１４】
マルチキャストＭＡＣアドレスは合計４８ビットのデータであり、上位１６ビットには固定値「３３：３３」が登録され、下位３２ビットにはＩＰｖ６マルチキャストアドレスの領域１００４１に登録された出力先チャンネルに対応する識別情報（グループＩＤ）が登録される。
【０１１５】
ホームゲートウェイ装置１のユニキャスト・マルチキャスト変換処理について説明する。
【０１１６】
ホームゲートウェイ装置１は、外部ネットワーク６から受信した通話データのＩＰｖ４ヘッダ８０３に含まれる送信元となる無線端末５のＩＰアドレスは変わらないので、ＩＰｖ４ヘッダ８０３に含まれる送信元となる無線端末５のＩＰアドレスをＩＰｖ６ヘッダ９０３の送信元となる無線端末５のＩＰアドレスに登録する。
【０１１７】
また、ホームゲートウェイ装置１は、送信元ＭＡＣアドレス９０２に自身のＬＡＮポート１６のＭＡＣアドレスを登録する。
【０１１８】
また、ホームゲートウェイ装置１は、無線端末５から送信された切替要求に含まれる出力先チャンネルに対応する識別情報（グループＩＤ）に基づいて図１０に示すＩＰｖ６マルチキャストアドレスを作成し、作成したＩＰｖ６マルチキャストアドレスをＩＰｖ６ヘッダ９０３の宛先に登録する。
【０１１９】
さらに、ホームゲートウェイ装置１は、無線端末５から送信された切替要求に含まれる出力先チャンネルに対応する識別情報に所定のアドレスを付加することによって、マルチキャストＭＡＣアドレスを作成し、作成したマルチキャストＭＡＣアドレスを宛先ＭＡＣアドレス９０１に登録する。
【０１２０】
これによって、ホームゲートウェイ装置１は、ユニキャストデータをマルチキャストデータに変換することができる。
【０１２１】
また、ＩＰｖ４ヘッダ８０３の宛先のＩＰｖ４のＩＰアドレスをＩＰｖ６のＩＰアドレスに変換するのは、既存のセットトップボックス３がＩＰｖ６に対応しているためである。
【０１２２】
なお、ＩＰｖ６マルチキャストアドレス及びマルチキャストＭＡＣアドレスを作成するための出力先チャンネルに対応する識別情報（グループＩＤ）は、無線端末５からの切替要求に含まれるものとしたが、ホームゲートウェイ装置１に出力先チャンネルが設定されていれな、切替要求に含まれなくてもよい。
【０１２３】
以上のように、本実施形態では、ホームゲートウェイ装置１は、無線端末５から切替要求を受信したタイミングで、セットトップボックス３が受信可能な形式に通話データを変換し、変換後の通話データをセットトップボックス３を介して表示端末４に送信するので、ユーザの所望のタイミングで出力先を切り替えることができるとともに、既存のセットトップボックス３を利用して表示端末４に通話データを送信できる。
【０１２４】
（第２実施形態）
本発明の第２実施形態を図１１及び１２を用いて説明する。
【０１２５】
第２実施形態は、データ送受信部１２２が外部ネットワーク６を介して受信した通話データを複製し、複製した一方の通話データを無線端末５へ送信し、複製した他方の通話データをセットトップボックスへ送信する実施形態である。これによって、通話データの出力先を複数とすることができる。
【０１２６】
図１１は、本発明の第２実施形態のホームゲートウェイ装置１の機能ブロック図である。
【０１２７】
図１１に示すホームゲートウェイ装置１の構成のうち、図２に示す第１実施形態のホームゲートウェイ装置１の構成と同じ構成は、同じ符号を付与し、説明を省略する。
【０１２８】
本実施形態のデータ送受信部１２２は、データ複製処理部１１００を備える。データ複製処理部１１００は、外部ネットワーク６から受信した通話データ、つまり、ＷＡＮポート１４を介して受信した通話データを複製する。
【０１２９】
なお、上述したように、複製された一方の通話データは無線端末５に送信され、他方の通話データはマルチキャストデータに変換されセットトップボックス３に送信される。
【０１３０】
図１２は、本発明の第２実施形態の通話データの出力切替処理のシーケンス図である。
【０１３１】
図１２に示す通話データの出力切替処理のうち、図４に示す第１実施形態の通話データの出力切替処理と同じ処理は、同じ符号を付与し、説明を省略し、図４に示す第１実施形態の通話データの出力切替処理と異なる点のみ説明する。
【０１３２】
ホームゲートウェイ装置１Ａは、ステップ４６１の処理で無線端末５Ｂから送信された通話データを受信した場合、受信した通話データを複製し、複製した一方の通話データをユニキャストデータのまま無線端末５Ａに送信し（４６３）、複製した他方の通話データをマルチキャストデータに変換する（４６２）。
【０１３３】
以上によって、本実施形態では、ホームゲートウェイ装置１は、無線端末５から切替要求を受信すると、無線端末５への送信を停止せずに、無線端末５及び表示端末４に通話データを送信できる。これによって、ユーザは、切替要求をしても、無線端末５及び表示端末４のうち所望の端末を用いてテレビ電話をすることができる。
【０１３４】
（第２実施形態の変形例）
次に、第２実施形態の変形例について図１３を用いて説明する。
【０１３５】
第２実施形態の変形例では、第２実施形態のホームゲートウェイ装置１において、無線端末５のユーザが、通話データの出力先を表示端末４のみにする切替（片側出力切替）を行うか、通話データの出力先を無線端末５及び表示端末４にする切替（両側出力切替）を行うか、を選択できるようにするものである。
【０１３６】
具体的には、無線端末５のユーザは、片側出力切替又は両側出力切替を選択する場合、片側出力切替又は両側出力切替を選択する旨を入力キー５３等を介して無線端末５に入力する。無線端末５は、片側出力切替又は両側出力切替を選択する旨が入力された場合、いずれの切替が選択されたかを特定可能な切替要求をホームゲートウェイ装置１に送信する（図１２に示すステップ４５５）。無線端末５は、片側出力切替が選択された場合、片側出力切替要求をホームゲートウェイ装置１に送信し、両側出力切替が選択された場合、両側出力切替要求をホームゲートウェイ装置１に送信する。
【０１３７】
ステップ４５５の処理で無線端末５からホームゲートウェイ装置１に送信される切替要求のフォーマットは図６に示すが、片側出力切替要求と両側出力切替要求とは、Ｔｙｐｅ６１１に格納される情報によって識別可能である。
【０１３８】
図１３は、本発明の第２実施形態の変形例のホームゲートウェイ装置１のアプリケーションによる処理のフローチャートである。
【０１３９】
このアプリケーションは、ホームゲートウェイ装置１のＣＰＵ１１によって実行され、テレビ電話が無線端末５間で通話中となった場合に起動し、テレビ電話が終了する場合に終了する。具体的には、ホームゲートウェイ装置１が図１２に示すステップ４４１の処理でＡＣＫデータを受信した場合、当該アプリケーションを起動し、ステップ４８１の処理でＢＹＥメッセージを受信した場合、当該アプリケーションを終了する。
【０１４０】
まず、ＣＰＵ１１は、ホームゲートウェイ装置１が無線端末５から受信した切替要求が両側出力切替要求であるか否かを判定する（１３０１）。
【０１４１】
ステップ１３０１の処理で、切替要求が両側出力切替要求であると判定された場合、ＣＰＵ１１は、データ複製処理部１１００を有効に設定し、外部ネットワーク６から通話データの複製を開始するとともに、ユニキャスト・マルチキャスト変換を開始して、両側出力切替を行う（１３０２）。
【０１４２】
ステップ１３０２の処理で、ＣＰＵ１１は、ユニキャスト・マルチキャスト変換を開始する場合、出力先チャンネルが使用中であるかを判定する。出力先チャンネルが使用中でなければ、ＣＰＵ１１は、切替ＯＫと判定し処理を進め、出力先チャンネルが使用中でなければ、ＣＰＵ１１は、切替ＮＧと判定する。
【０１４３】
ＣＰＵ１１は、ステップ１３０２の処理で切替ＯＫであるか否かを判定し（１３０３）、切替ＯＫである場合、ステップ１３０８の処理を実行し、切替ＮＧである場合、エラー処理を実行し（１３０４）、ステップ１３０８の処理を実行する。
【０１４４】
ステップ１３０８の処理では、ＣＰＵ１１は、出力終了か否かを判定する。具体的には、ＣＰＵ１１は、ホームゲートウェイ装置１が無線端末５からＢＹＥメッセージを受信した場合、出力終了と判定してアプリケーションを終了し、ホームゲートウェイ装置１が無線端末５からＢＹＥメッセージを受信していない場合、出力終了していないと判定し、ステップ１３０１の処理に戻る。
【０１４５】
ステップ１３０１の処理で、切替要求が両側出力切替要求でないと判定された場合、つまり、当該切替要求が片側出力切替要求である場合、ＣＰＵ１１は、データ複製処理部１１００を無効に設定し、外部ネットワーク６から通話データのユニキャスト・マルチキャスト変換を開始して、片側出力切替を行う（１３０５）。
【０１４６】
ステップ１３０５の処理で、ＣＰＵ１１は、ユニキャスト・マルチキャスト変換を開始する場合、出力先チャンネルが使用中であるかを判定する。出力先チャンネルが使用中でなければ、ＣＰＵ１１は、切替ＯＫと判定し処理を進め、出力先チャンネルが使用中でなければ、ＣＰＵ１１は、切替ＮＧと判定する。
【０１４７】
ＣＰＵ１１は、ステップ１３０５の処理で切替ＯＫであるか否かを判定し（１３０６）、切替ＯＫである場合、ステップ１３０８の処理を実行し、切替ＮＧである場合、エラー処理を実行し（１３０７）、ステップ１３０８の処理を実行する。
【０１４８】
なお、アプリケーションは、通話中となった場合に起動し、テレビ電話が終了する場合に終了することに限定されず、例えば、ホームゲートウェイ装置１が起動中に常時起動していてもよい。この場合、ステップ１３０８の処理を実行する必要はなく、ホームゲートウェイ装置１の電源断となるまでステップ１３０１〜１３０７の処理を繰り返し実行する。
【０１４９】
以上によって、ホームゲートウェイ装置１は、片側出力切替が選択された場合、通話データを複製せず、表示端末４のみに通話データを出力し、両側出力切替が選択された場合、通話データを複製し、一方を表示端末４に通話データを出力し、他方を無線端末５に通話データを出力する。これによって、ユーザが片側出力切替か両側出力切替かを選択できるようになる。
【０１５０】
（第３実施形態）
次に、第３実施形態について図１４及び図１５を用いて説明する。
【０１５１】
第３実施形態は、表示端末４に出力される通話データを録画端末９に録画するものである。
【０１５２】
図１４は、本発明の第３実施形態のテレビ電話システムの説明図である。
【０１５３】
図１４に示すテレビ電話システムの構成のうち、図１に示す第１実施形態のテレビ電話システムの構成と同じ構成は、同じ符号を付与し、説明を省略し、図１に示す第１実施形態のテレビ電話システムと異なる点のみ説明する。
【０１５４】
テレビ電話システムは、さらに録画端末９を備える。当該録画端末９は表示端末４に接続される。
【０１５５】
図１５は、本発明の第３実施形態の通話データの出力切替処理のシーケンス図である。
【０１５６】
図１５に示す通話データの出力切替処理のうち、図４に示す第１実施形態の通話データの出力切替処理と同じ処理は、同じ符号を付与し、説明を省略し、図４に示す第１実施形態の通話データの出力切替処理と異なる点のみ説明する。
【０１５７】
図１５では、ステップ４５１の処理で無線端末５Ａと無線端末５Ｂとが通話中となるまでの処理は、図４に示す通話データの出力切替処理と同じであるので、図示を省略した。
【０１５８】
表示端末４にセットトップボックス３から通話データが入力されると、表示端末４は、入力された通話データを録画端末９に出力する（４６９）。
【０１５９】
録画端末９に表示端末４から通話データが入力されると、録画端末９は、図示しない補助記憶装置に通話データを記憶する。
【０１６０】
また、第３実施形態では、表示端末４に録画端末９が接続される例を示したが、この例に限定されず、表示端末４が接続されたセットトップボックス３（表示用セットトップボックス）の他に、録画端末９に接続されたセットトップボックス３（録画用セットトップボックス）があってもよい。
【０１６１】
この場合、出力先チャンネルとして同じチャンネルが、録画用セットトップボックス及び表示用セットトップボックスに設定されている。マルチキャストＭＡＣアドレス及びＩＰｖ６マルチキャストアドレスは、出力先チャンネルに基づいて生成されるので、録画用セットトップボックス及び表示用セットトップボックスのこれらのアドレスは同じになる。
【０１６２】
したがって、録画用セットトップボックス及び表示用セットトップボックスは、ホームゲートウェイ装置１からマルチキャストデータに変換された通話データを受信し、録画用セットトップボックスは録画端末９に通話データを出力し、表示用セットトップボックスは表示端末４に通話データを出力する。
【０１６３】
なお、今回開示された実施の形態はすべての点で例示であって制限的なものではないと考えられるべきである。本発明の範囲は上記した意味ではなく、特許請求の範囲によって示され、特許請求の範囲と均等の意味および範囲内でのすべての変更が含まれることが意図される。
【符号の説明】
【０１６４】
１  ホームゲートウェイ装置（ＨＧＷ）
３  セットトップボックス（ＳＴＢ）
４  表示端末
５  無線端末
６  外部ネットワーク
７  リモートコントローラ
８  テレビ電話利用者
【図１】
0005549017.tif 000002
【図２】
0005549017.tif 000003
【図３】
0005549017.tif 000004
【図４】
0005549017.tif 000005
【図５】
0005549017.tif 000006
【図６】
0005549017.tif 000007
【図７】
0005549017.tif 000008
【図８】
0005549017.tif 000009
【図９】
0005549017.tif 000010
【図１０】
0005549017.tif 000011
【図１１】
0005549017.tif 000012
【図１２】
0005549017.tif 000013
【図１３】
0005549017.tif 000014
【図１４】
0005549017.tif 000015
【図１５】
0005549017.tif 000016